(57)【特許請求の範囲】
【請求項１】
長手方向に延びた凹部であって、前記長手方向に延びた底部と、前記底部の短手方向の端部から立ち上がり、配置用開口が設けられた長手側壁とによって形成された凹部を有するとともに、前記長手側壁との間に空間を開けて、前記長手側壁の外側を覆う外壁を有する器具本体と、
光源を有し、外部電源の電力によって前記光源を点灯させる光源ユニットであって、前記凹部に収容され、前記長手方向に延びた光源ユニットと、
非常用光源と非常用電源と前記非常用電源を収容しケース開口が設けられたケースとを有し、前記外部電源の停電時に前記非常用電源の電力によって前記非常用光源を点灯させる非常用ユニットであって、前記非常用電源を収納した前記ケースが前記配置用開口と前記ケース開口とを介して前記非常用電源を前記ケースに挿入可能な状態で前記長手側壁と前記外壁との間に取り付けられた非常用ユニットと
を備える照明装置。
【請求項２】
前記外壁は、前記凹部の開口の方から前記底部の方に向かって前記凹部から離れる方向に傾斜した傾斜壁を有し、
前記非常用電源は、前記長手側壁と前記傾斜壁との間に取り付けられた
請求項１に記載の照明装置。
【請求項３】
前記光源ユニットは、前記外部電源の電力を前記光源に供給する点灯装置を有し、
前記非常用光源は、前記凹部の前記長手方向における一方の端部に取り付けられ、
前記非常用電源は、前記長手方向における前記点灯装置と前記非常用光源との間に取り付けられた
請求項１又は２に記載の照明装置。
【発明の詳細な説明】
【技術分野】
【０００１】
この発明は、停電時に点灯する非常用ユニットを備える照明装置に関する。
【背景技術】
【０００２】
特許文献１には、長尺状に形成された光源ユニットと、非常用ユニットと、光源ユニット及び非常用ユニットが収容される凹部を有する器具本体とを備える照明装置が記載されている。
非常用ユニットは、非常用光源と非常用電源とを有している。非常用ユニットは、何らかの理由により商用電源の電力供給が停止し、光源ユニットが光源を点灯できない場合に、非常用電源の電力により非常用光源を点灯させる。
【先行技術文献】
【特許文献】
【０００３】
【特許文献１】特開２０１５−８８４３３号公報
【発明の概要】
【発明が解決しようとする課題】
【０００４】
特許文献１に記載された照明装置では、非常用ユニットが有する非常用電源が、光源ユニットの背面に配置されている。そのため、非常用電源が光源ユニットの熱の影響を受けやすい。
この発明は、非常用ユニットが備える非常用電源に対する光源ユニットの熱の影響を軽減することを目的とする。
【課題を解決するための手段】
【０００５】
この発明に係る照明装置は、
長手方向に延びた凹部を有する器具本体と、
光源を有し、外部電源の電力によって前記光源を点灯させる光源ユニットであって、前記凹部に収容され、前記長手方向に延びた光源ユニットと、
非常用光源と非常用電源とを有し、前記外部電源の停電時に前記非常用電源の電力によって前記非常用光源を点灯させる非常用ユニットであって、前記非常用電源が前記凹部の外に取り付けられた非常用ユニットと
を備える。
【発明の効果】
【０００６】
この発明では、非常用ユニットが備える非常用電源が、器具本体が有する凹部の外に取り付けられている。そのため、非常用電源に対する光源ユニットの熱の影響を軽減することが可能である。
【図面の簡単な説明】
【０００７】
【図１】実施の形態１に係る照明装置１の斜視図。
【図２】実施の形態１に係る照明装置１の分解斜視図。
【図３】実施の形態１に係る光源ユニット２０の斜視図及び断面図。
【図４】実施の形態１に係る器具本体１０が有するばね部１６の斜視図。
【図５】実施の形態１に係る光源ユニット２０が有する連結具２６の斜視図。
【図６】実施の形態１に係る器具本体１０に取り付けられた状態における非常用ユニット３０の斜視図及び断面図。
【図７】実施の形態１に係る電源部３６の斜視図。
【図８】実施の形態１に係る電源部３６の説明図。
【図９】実施の形態１に係る電源部３６の説明図。
【図１０】実施の形態１に係る照明装置１の配線の説明図。
【図１１】実施の形態１に係る照明装置１の変形例１を示す図。
【図１２】実施の形態１に係る照明装置１の変形例２を示す図。
【図１３】実施の形態２に係る非常用ユニット３０の斜視図及び断面図。
【図１４】実施の形態２に係る照明装置１の変形例３を示す図。
【発明を実施するための形態】
【０００８】
実施の形態１．
＊＊＊構成の説明＊＊＊
図１から図１０に基づき、実施の形態１に係る照明装置１を説明する。
実施の形態１では、天井に取り付けられる照明装置１について説明する。そこで、実施の形態１では、便宜的に天井側を上側とし、床側を下側として説明する。
【０００９】
＜照明装置１＞
図１は、実施の形態１に係る照明装置１の斜視図である。
照明装置１は、器具本体１０と、光源ユニット２０と、非常用ユニット３０とを備える。
【００１０】
＜器具本体１０＞
図２は、実施の形態１に係る照明装置１の分解斜視図である。
器具本体１０は、長手方向Ｘに延びた長尺状に形成されている。器具本体１０は、凹部１１と、外壁１２と、端板１３とを有する。
【００１１】
凹部１１は、長手方向Ｘに延び、底部１１１が平らで長手方向Ｘを法線とする断面がＵ字状をしている。凹部１１は、長手方向Ｘに延びた底部１１１と、底部１１１の短手方向Ｙの両端部から垂直に立ち上がった一対の長手側壁１１２とによって形成されており、一対の長手側壁１１２の底部１１１の反対側が符号ＰＱＲＳで示す開口となっている。
【００１２】
外壁１２は、長手側壁１１２との間に空間を開けて、長手側壁１１２の外側を覆う。外壁１２は、凹部１１の符号ＰＱＲＳで示す開口の面に平行な開口壁１２１と、凹部１１の開口の方から底部１１１の方に向かって凹部１１から離れる方向に傾斜した傾斜壁１２２と、長手側壁１１２と平行な外側壁１２３とを有する。そのため、器具本体１０は、端板１３の方から見た場合に、上側が広く、下側が狭くなった逆富士形になっている。
【００１３】
端板１３は、器具本体１０の長手方向Ｘの端部を丁度覆う。端板１３は、凹部１１を覆う位置に、ノックアウト加工により形成され、取り外し可能になっている加工部１３１を有している。加工部１３１を取り外すことにより、電源ケーブルの引込孔１３２が形成される。複数の照明装置１を連結するときに、電源ケーブルを引込孔１３２を介して隣接する照明装置１から引き込むことが可能である。
【００１４】
凹部１１の底部１１１には、外部電源に接続された電源ケーブルを引き込むための電源孔１４と、ボルトのような取付具が挿入される取付孔１５とが形成されている。また、底部１１１には、光源ユニット２０を固定するためのばね部１６と、電源孔１４から引き込まれた電源ケーブルが接続され、光源ユニット２０に電力を供給する端子台１７とが取り付けられている。複数の照明装置１を連結した場合には、引込孔１３２から引き込まれた電源ケーブルが端子台１７に接続される場合もある。
ここでは、外部電源は、商用電源である。
【００１５】
器具本体１０は、取付孔１５に挿入された取付具によって、凹部１１の底部１１１の裏面が被取付部である天井に対面して取り付けられる。したがって、凹部１１の開口が下側、つまり床面を向いて取り付けられる。
ここでは、被取付部を天井としているが、被取付部は壁面のような他の場所であっても構わない。
【００１６】
＜光源ユニット２０＞
図３は、実施の形態１に係る光源ユニット２０の斜視図及び断面図である。図３（ａ）は、光源ユニット２０の上側の斜視図である。図３（ｂ）は、光源ユニット２０の下側の斜視図である。図３（ｃ）は、図３（ｂ）のＡ−Ａ’断面図である。なお、図３（ｃ）では、カバー２３が透けて内部のＬＥＤ２１１及び基板２１２が見えた状態としており、ＬＥＤ２１１及び基板２１２が破線で示されている。
光源ユニット２０は、長手方向Ｘに延びた長尺状に形成されている。
光源ユニット２０は、光源である複数のＬＥＤ２１１を有し、外部電源の電力によって光源である複数のＬＥＤ２１１を点灯させる。光源ユニット２０は、器具本体１０が有する凹部１１に収容されて取り付けられる。
【００１７】
光源ユニット２０は、ＬＥＤユニット２１と、ＬＥＤユニット２１が取り付けられる保持部２２と、ＬＥＤユニット２１を覆うように保持部２２に取り付けられるカバー２３と、カバー２３の長手方向Ｘの端部を覆う光源蓋部２４とを有する。
【００１８】
ＬＥＤユニット２１は、光源である複数のＬＥＤ２１１と、複数のＬＥＤ２１１が長手方向Ｘに沿って実装され、長手方向Ｘに延びた長尺状の基板２１２とを有する。複数のＬＥＤ２１１は、基板２１２の短手方向Ｙの中央部に、長手方向Ｘに１列に等間隔に並べて実装されている。
【００１９】
保持部２２は、長手方向Ｘの長さが基板２１２とほぼ同じ長尺状である。保持部２２は、ＬＥＤユニット２１が取り付けられる平板状の保持正面部２２１と、保持正面部２２１の短手方向Ｙの両端部から垂直に立ち上がった一対の保持側面部２２２とを有する。
保持正面部２２１は、ＬＥＤユニット２１が取り付けられる面２２１１の裏側の面２２１２における長手方向Ｘの中央付近に、外部電源の電力を光源である複数のＬＥＤ２１１に供給して、複数のＬＥＤ２１１を点灯させる点灯装置２５が取り付けられている。また、保持正面部２２１は、ＬＥＤユニット２１が取り付けられる面２２１１の裏側の面２２１２に、光源ユニット２０を器具本体１０に取り付けるための連結具２６が取り付けられている。
【００２０】
カバー２３は、長手方向Ｘの長さが基板２１２及び保持部２２とほぼ同じ長尺状である。カバー２３は、ポリカーボネートのような樹脂部材から形成されている。カバー２３は、拡散部２３１と、一対のつまみ部２３２と、一対の接続部２３３とを有する。
拡散部２３１は、ＬＥＤユニット２１を覆うように円弧状に形成され、複数のＬＥＤ２１１から放射された光を拡散する。つまみ部２３２は、拡散部２３１の短手方向Ｙの両端部２３１１が折り返されて形成され、光源ユニット２０を着脱する際に作業者が保持し易いように、凹んだ形状になっている。接続部２３３は、つまみ部２３２の拡散部２３１と逆側の端部２３２１に設けられ、図３（ｃ）の断面がコ字状に形成されており、保持部２２の保持側面部２２２を上下から挟持する。
【００２１】
光源蓋部２４は、カバー２３と保持部２２との間に形成される長手方向Ｘの端部を丁度覆うように、長手方向Ｘの端部と同じ形状をしている。
【００２２】
点灯装置２５は、器具本体１０に取り付けられた端子台１７を介して外部電源の電力をＬＥＤユニット２１に供給し、複数のＬＥＤ２１１を点灯させる。点灯装置２５は、箱形状をしており、内部に外部電源の電力をＬＥＤユニット２１に供給できるように制御する点灯回路が収容されている。
【００２３】
図４は、実施の形態１に係る器具本体１０が有するばね部１６の斜視図である。図５は、実施の形態１に係る光源ユニット２０が有する連結具２６の斜視図である。
ばね部１６と連結具２６とが互いに係り合うことにより、器具本体１０に光源ユニット２０が取り付けられる。
ばね部１６は、円弧形状をしたばね円弧部１６１と、凹部１１の底部１１１に当接しねじで固定されるばね固定部１６２と、ばね円弧部１６１の先端に設けられたばね爪部１６３と、円弧部１６１とばね固定部１６２との間に設けられ、複数回折り曲げられた弾性部１６４とを有する。
連結具２６は、Ｌ字形状をしている。連結具２６は、保持正面部２２１にねじで固定される連結具固定部２６１と、連結具固定部２６１の側辺から垂直に突設し、係合開口部２６３が形成された連結部２６２とを有する。
【００２４】
ばね部１６のばね円弧部１６１は、連結具２６の連結部２６２に形成された係合開口部２６３に挿し込まれる。すると、ばね部１６は、弾性部１６４の弾性力により、ばね円弧部１６１が係合開口部２６３の縁２６３１を摺動しながら、光源ユニット２０を凹部１１の内側に引き込む。
ここで、器具本体１０の端板１３は、図２に示すように、符号ＰＱＲＳで示す開口の縁に光源ユニット２０が凹部１１の奥まで入り込むことを抑制する突起１３３を有する。また、後述するように、非常用ユニット３０は、光源ユニット２０が凹部１１の奥まで入り込むことを抑制する光源受部３１４を有する。光源ユニット２０が凹部１１の内側に引き込まれると、光源ユニット２０の長手方向Ｘの一端２０Ｌにおいて、カバー２３の光源蓋部２４の端部２４１（図３（ｂ）参照）が器具本体１０の端板１３が有する突起１３３に当接し、他端２０Ｒにおいて、カバー２３の接続部２３３が非常用ユニット３０が有する光源受部３１４とに当接する。そして、光源ユニット２０が器具本体１０に固定された状態になる。
なお、図２では、突起１３３は、符号ＰＱＲＳで示す開口の縁に設けられていた。しかし、突起１３３は、図２に符号１３３’で示す凹部１１の奥側の位置に設けられていてもよい。そして、光源ユニット２０が凹部１１の内側に引き込まれた場合に、カバー２３の接続部２３３が突起１３３に当接してもよい。
【００２５】
＜非常用ユニット３０＞
図６は、実施の形態１に係る器具本体１０に取り付けられた状態における非常用ユニット３０の斜視図及び断面図である。図６（ａ）は、器具本体１０に取り付けられた状態における非常用ユニット３０の下側の斜視図である。図６（ｂ）は、図６（ａ）のＢ−Ｂ’断面図である。図６（ｃ）は、図６（ａ）のＣ−Ｃ’断面図である。図６（ｄ）は、ユニット外郭部３１の斜視図である。
非常用ユニット３０は、非常用光源であるＬＥＤ３２１と、非常用電源３６２とを有し、外部電源の停電時に非常用電源３６２の電力によって非常用光源であるＬＥＤ３２１を点灯させる。
非常用ユニット３０は、ユニット外郭部３１と、非常用ＬＥＤユニット３２と、電源装置３３と、点検スイッチ３４と、モニタランプ３５と、電源部３６とを有する。
非常用ＬＥＤユニット３２と、電源装置３３と、点検スイッチ３４と、モニタランプ３５とは、凹部１１の長手方向Ｘにおける一方の端部１１Ｒに取り付けられている。また、非常用ユニット３０は、ユニット外郭部３１と、非常用ＬＥＤユニット３２と、電源装置３３と、点検スイッチ３４と、モニタランプ３５とが凹部１１に収容され、非常用電源３６２が凹部１１の外になるように電源部３６が取り付けられている。ここでは、非常用電源３６２が凹部１１の長手側壁１１２の外側に取り付けられている。
【００２６】
ユニット外郭部３１は、金属により板状に形成されている。ユニット外郭部３１は、レンズ３２３が露見するように配置されるレンズ用開口３１１と、点検スイッチ３４が配置されるスイッチ用開口３１２と、モニタランプ３５が配置されるモニタ用開口３１３とが形成されている。
ユニット外郭部３１は、図６（ｂ）に示すように、光源ユニット２０側の端部に、板３１４１及び板３１４２により構成されるＬ字状の光源受部３１４が形成されている。光源受部３１４は、上述した通り、光源ユニット２０が器具本体１０に取り付けられた際、カバー２３の接続部２３３が当接して、光源ユニット２０が凹部１１の奥まで入り込むことを抑制する。
ここでは、光源受部３１４は、光源ユニット２０が器具本体１０に取り付けられた際、カバー２３の接続部２３３が当接するように、凹部１１の開口面１１４よりも寸法Ｗだけ凹部１１の奥側に設けられている。しかし、光源受部３１４は、光源ユニット２０が器具本体１０に取り付けられた際、光源ユニット２０の光源蓋部２４の端部２４１（図３（ｂ）参照）と当接するように、凹部１１の開口面１１４付近に設けられていてもよい。また、光源受部３１４は、図６（ｂ）に一点鎖線３１４３で示すように、板３１４１が凹部１１の底部１１１に当接するまで延ばされ、板３１４１が凹部１１の底部１１１に当接するように設けられてもよい。このように光源受部３１４が底部１１１に当接するように設けることにより、ユニット外郭部３１の強度を高くすることができる。
【００２７】
非常用ＬＥＤユニット３２は、非常用光源であるＬＥＤ３２１と、ＬＥＤ３２１が実行された基板３２２と、ＬＥＤ３２１の下側に配置されたガラス製のレンズ３２３とを有する。
非常用ＬＥＤユニット３２は、レンズ３２３がユニット外郭部３１のレンズ用開口３１１と対面する位置になるように、凹部１１に収容される。
【００２８】
電源装置３３は、外部電源から電力が正常に供給されている場合には、外部電源の電力により非常用電源３６２を充電し、外部電源が停電している場合には、非常用電源３６２の電力により非常用光源であるＬＥＤ３２１を点灯させる。
電源装置３３は、非常用ＬＥＤユニット３２と、凹部１１の底部１１１との間に収容される。
【００２９】
点検スイッチ３４は、非常用電源３６２が正常か否かを確認する点検を実行するためのスイッチである。点検スイッチ３４が押されると、一定時間、非常用電源３６２の電力によりＬＥＤ３２１が点灯する。
点検スイッチ３４は、ユニット外郭部３１のスイッチ用開口３１２を介して外部から操作可能となるように凹部１１に収容される。
なお、点検スイッチ３４は、スイッチが押されると点検を行う構成ではなく、引き棒が引っ張られると点検を行う構成であってもよい。また、引き棒に代えて、引き紐を用いてもよい。
【００３０】
モニタランプ３５は、非常用電源３６２の充電が正常に行われているか否かと、点検スイッチ３４が押され実行された点検の結果とを表示する。具体的には、モニタランプ３５は、非常用電源３６２の充電が正常に行われている場合には点灯し、正常に行われていない場合には消灯する。また、点検が実行された場合には、点検の結果に応じた点灯状態になる。
モニタランプ３５は、ユニット外郭部３１のモニタ用開口３１３を介して外部から視認可能に凹部１１に収容される。
なお、モニタランプ３５は、非常用電源３６２の交換時期が近い場合には点滅するというように、他の用途に対しても点灯状態が設定されてもよい。
【００３１】
点検スイッチ３４とモニタランプ３５とは、図６（ａ）に示すように、レンズ３２３より端板１３側に配置されている。これにより、光源ユニット２０からの光によりモニタランプ３５が見えにくくなるのが抑制され、モニタランプ３５の視認性が向上する。
【００３２】
図７は、実施の形態１に係る電源部３６の斜視図である。図７では、器具本体１０を一部破断させて、器具本体１０に取り付けられた状態の電源部３６が示されている。
電源部３６は、ケース３６１に、非常用電源３６２が収容されている。ケース３６１は、開口３６３が設けられており、非常用電源３６２を内部に挿入可能になっている。ケース３６１の内部に挿入された非常用電源３６２は、ケース３６１の折り返し部３６１１に引っ掛かり、保持される。
【００３３】
図６（ｂ）に示すように、ケース３６１は、非常用電源３６２を保持する空間が長手側壁１１２と外壁１２との間に配置され、ねじのような取付具３６４により器具本体１０に取り付けられている。
図６（ｂ）及び図６（ｃ）に示すように、凹部１１の長手側壁１１２には、非常用電源３６２をケース３６１に挿入するための配置用開口１１３が形成されている。非常用電源３６２は、配置用開口１１３からケース３６１の内部に挿入され長手側壁１１２と外壁１２との間に取り付けられる。図６（ｃ）では、非常用電源３６２は、長手側壁１１２と、外壁１２を構成する傾斜壁１２２との間に取り付けられている。
図１０に示すように、配置用開口１１３は、光源ユニット２０及び非常用ユニット３０が器具本体１０に取り付けられた場合に、凹部１１の長手方向Ｘにおける点灯装置２５の位置と、非常用ＬＥＤユニット３２及び電源装置３３の位置との間になる位置に設けられている。そのため、非常用電源３６２は、凹部１１の長手方向Ｘにおける点灯装置２５と非常用ＬＥＤユニット３２及び電源装置３３との間に取り付けられる。
【００３４】
図８及び図９は、実施の形態１に係る電源部３６の説明図である。
ケース３６１は、折り返し部３６１１と、凹部１１の底部１１１に固定されるケース固定部３６１２と、配置用開口１１３と対向するケース側部３６１３と、ケース側部３６１３と折り返し部３６１１とを連結し傾斜壁１２２と並行するケース傾斜部３６１４と、折り返し部３６１１の先端に形成され配置用開口１１３の開口縁に引っ掛かるケース爪部３６１５とを有する。
【００３５】
非常用電源３６２は、初めに、図８（ａ）に示すように、非常用電源３６２の一方側３６２１からケース３６１の開口３６３に挿入される。次に、図８（ｂ）に示すように、非常用電源の一方側３６２１が、ケース側部３６１３側まで挿入されると、非常用電源３６２の他方側３６２２がケース傾斜部３６１４側に回動される。これにより、図８（ｃ）に示すように、非常用電源３６２の他方側３６２２が折り返し部３６１１に引っ掛かり、非常用電源３６２がケース３６１に保持される。
【００３６】
ケース３６１は弾性力を有していてもよい。ケース３６１が弾性力を有することにより、非常用電源３６２がケース３６１から外れるのを抑制することができる。
具体的には、図９に示すように、ケース固定部３６１２が底部１１１に固定された状態で、ケース３６１を非常用電源３６２が設置された状態よりもＤ１方向に変位した形状としておく。このとき、非常用電源３６２の幅Ｌ１が、ケース３６１の開口３６３の幅Ｌ２よりも狭い状態にする。つまり、Ｌ１＞Ｌ２である。そして、ケース爪部３６１５と折り返し部３６１１とケース傾斜部３６１４とが押し広げられてＬ１＝Ｌ２とされ、非常用電源３６２がケース側部３６１３側まで挿入される。非常用電源３６２が挿入されると、再びＬ１＞Ｌ２となる。これにより、非常用電源３６２は折り返し部３６１１に保持され、ケース３６１から外れにくい状態になる。
【００３７】
＜配線＞
図１０は、実施の形態１に係る照明装置１の配線の説明図である。
器具本体１０の凹部１１に形成された電源孔１４から電源ケーブル４１が引き込まれ、電源ケーブル４１が端子台１７に接続される。端子台１７と光源ユニット２０の点灯装置２５とが配線４２により接続される。また、端子台１７と非常用ユニット３０の電源装置３３とが配線４３により接続される。電源装置３３と非常用ＬＥＤユニット３２とが配線４４により接続され、電源装置３３と非常用電源３６２とが配線４５により接続される。  配線の接続に関しては、配線先端の被膜を外し挿し込む方式でも、コネクタのような連結部品を介して接続する形式でもよい。
【００３８】
＊＊＊動作の説明＊＊＊
＜非停電時の点灯動作＞
外部電源からの電力供給が行われている非停電時には、電源ケーブル４１を介して端子台１７に電力が供給され、端子台１７から配線４２を介して点灯装置２５に電力が供給される。そして、光源ユニット２０が有する複数のＬＥＤ２１１が点灯する。
このとき、端子台１７から配線４３を介して電源装置３３にも電力が供給され、電源装置３３から配線４５を介して非常用電源３６２に電力が供給される。そして、非常用電源３６２が充電される。
【００３９】
＜停電時の点灯動作＞
外部電源からの電力供給が停止された停電時には、点灯装置２５への電力供給が停止されるため、光源ユニット２０が有する複数のＬＥＤ２１１は消灯する。また、電源装置３３への電力供給も停止され、非常用電源３６２の充電も停止される。
電源装置３３は配線４３からの電力供給が停止されると、非常用電源３６２の電力を配線４４及び配線４５を介して非常用ＬＥＤユニット３２に供給する。そして、非常用ＬＥＤユニット３２が有するＬＥＤ３２１が点灯する。
【００４０】
＊＊＊実施の形態１の効果＊＊＊
以上のように、実施の形態１に係る照明装置１は、非常用電源３６２が器具本体１０の凹部１１の外に取り付けられた。そのため、非常用電源３６２に対する光源ユニット２０の熱の影響を軽減することが可能である。また、凹部１１に収容される部品点数が減り、部品間の干渉を抑制することが可能である。
【００４１】
特に、実施の形態１に係る照明装置１は、非常用電源３６２が凹部１１の長手側壁１１２と外壁１２を構成する傾斜壁１２２との間に取り付けられた。そのため、照明装置１の長手方向Ｘの長さを短く抑えることができる。
【００４２】
実施の形態１に係る照明装置１は、非常用電源３６２は、凹部１１の長手方向Ｘにおける点灯装置２５と非常用ＬＥＤユニット３２及び電源装置３３との間に取り付けられた。そのため、配線により接続する部品同士が近くに配置されており、配線作業が容易になる。
なお、配置用開口１１３は、凹部１１の剛性を確保するために、長手方向における負荷がかかりづらい位置に設けるとよい。
【００４３】
＊＊＊他の構成＊＊＊
図１１は、実施の形態１に係る照明装置１の変形例１を示す図である。図１１（ａ）は、照明装置１の斜視図である。図１１（ｂ）は、ユニット外郭部３１の斜視図である。
上記説明では、図６に示すように、ユニット外郭部３１の下面３１５は、平面であった。
しかし、図１１に示すように、ユニット外郭部３１の下面３１５のうち、モニタ用開口３１３が設置された位置よりも光源ユニット２０側の部分３１５１が下側に突出するように、ユニット外郭部３１の下面に段差をつけてもよい。
これにより、光源ユニット２０の光がユニット外郭部３１の突出した部分３１５１で遮られるため、非常用ユニット３０が光源ユニット２０と近くに配置されても、モニタランプ３５の視認性が低下しにくくなる。非常用ユニット３０を光源ユニット２０と近くに配置できるため、照明装置１の長手方向Ｘの長さを短くすることが可能である。
なお、光源ユニット２０側の部分３１５１を下側に突出させて光源ユニット２０の光を遮るのではなく、モニタランプ３５の設置部分を器具の内側に凹ませて、凹ませた部分にモニタランプ３５を設置することにより光源ユニット２０の光を遮るようにしてもよい。
【００４４】
図１２は、実施の形態１に係る照明装置１の変形例２を示す図である。
なお、図１２では、光源ユニット２０を器具本体１０に取り付けるためのばね部１６及び連結具２６を省略している。
上記説明では、図２に示すように、器具本体１０は逆富士形をしており、底部１１１の裏面が天井と対面して取り付けられるとした。
しかし、図１２に示すように、照明装置１は、天井のような被取付部４０に埋め込まれて取り付けられる埋め込み型であってもよい。この場合、図２に示す構成とは器具本体１０の形状が異なるが、図２に示す構成と同様に、非常用電源３６２の取り付け位置は、凹部１１の長手側壁１１２の外である。
このように、照明装置１が埋め込み型であっても、図２に示す構成の場合と同様の効果を奏する。
【００４５】
実施の形態２．
図１３に基づき、実施の形態２に係る照明装置１を説明する。
実施の形態２では、非常用ユニット３０が、箱形に形成されたユニット外郭部３１に他の要素が内蔵されて構成され、器具本体１０に外付けされる点が実施の形態１と異なる。実施の形態２では、この異なる点について説明する。
【００４６】
図１３は、実施の形態２に係る非常用ユニット３０の斜視図及び断面図である。図１３（ａ）は、非常用ユニット３０が器具本体１０に取り付けられた状態における下側の斜視図である。図１３（ｂ）は、非常用ユニット３０が器具本体１０から取り外された状態における下側の斜視図である。図１３（ｃ）は、図１３（ｂ）のＤ−Ｄ’断面図である。
非常用ユニット３０は、ユニット外郭部３１と、非常用ＬＥＤユニット３２と、電源装置３３と、点検スイッチ３４と、モニタランプ３５と、電源部３６とを有する。
【００４７】
ユニット外郭部３１は、器具本体１０の長手方向Ｘの長さを短くした形状であり、逆富士形の箱形をしている。ユニット外郭部３１は、非常用ＬＥＤユニット３２と、電源装置３３と、点検スイッチ３４と、モニタランプ３５と、電源部３６とを収容する。
ユニット外郭部３１の端面３７が器具本体１０の端板１３と対面するように、非常用ユニット３０は器具本体１０の長手方向Ｘの端部にねじのような取付具により取り付けられる。この際、非常用ユニット３０は、非常用ＬＥＤユニット３２と、電源装置３３と、点検スイッチ３４と、モニタランプ３５とが凹部１１を長手方向Ｘに延長した位置になり、非常用電源３６２が凹部１１の長手側壁１１２を長手方向Ｘに延長した仮想の壁の外側になるように、各要素はユニット外郭部３１に収容されている。
【００４８】
＊＊＊実施の形態２の効果＊＊＊
以上のように、実施の形態２に係る照明装置１は、非常用ユニット３０が、箱形に形成されたユニット外郭部３１に他の要素を内蔵させ、器具本体１０に外付けされる。そのため、既存の器具本体１０に非常用ユニット３０を取り付けることも可能である。
【００４９】
ユニット外郭部３１は、端面３７に突起を設けておき、器具本体１０の端板１３の加工部１３１を取り外した位置に端面３７の突起を嵌め込むことにより取り付けられる機構としてもよい。これにより、容易に非常用ユニット３０を器具本体１０に取り付けることができる。
【００５０】
＊＊＊他の構成＊＊＊
図１４は、実施の形態２に係る照明装置１の変形例３を示す図である。図１４（ａ）は、非常用ユニット３０が器具本体１０に取り付けられた状態における下側の斜視図である。図１４（ｂ）は、非常用ユニット３０が器具本体１０に取り外された状態における下側の斜視図である。図１４（ｃ）は、図１４（ｂ）のＥ−Ｅ’断面図である。
図１４では、器具本体１０が逆富士形ではなく、直方体形になっている。ユニット外郭部３１も器具本体１０と同様に直方体形になっている。
ユニット外郭部３１の端面３７が器具本体１０の端板１３と対面するように、非常用ユニット３０は器具本体１０の長手方向Ｘの端部に取り付けられる。この際、図１４（ｃ）に示すように、変形例３では、非常用電源３６２を含む全ての要素が凹部１１を長手方向Ｘに延長した位置になるように、各要素はユニット外郭部３１に収容されている。
【００５１】
このように、非常用電源３６２を含む全ての要素が凹部１１を長手方向Ｘに延長した位置になるようにすることにより、照明装置１の長手方向Ｘの長さは長くなるものの、短手方向Ｙの長さを短くすることができる。被取付部の位置によっては、短手方向の長さを短くすることが有効な場合もあり得る。
【符号の説明】
【００５２】
１  照明装置、１０  器具本体、１１  凹部、１１Ｒ  端部、１１１  底部、１１２  長手側壁、１１３  配置用開口、１１４  開口面、１２  外壁、１２１  開口壁、１２２
傾斜壁、１２３  外側壁、１３  端板、１３１  加工部、１３２  引込孔、１３３  突起、１４  電源孔、１５  取付孔、１６  ばね部、１６１  円弧部、１６２  ばね固定部、１６３  ばね爪部、１６４  弾性部、１７  端子台、２０  光源ユニット、２０Ｌ  一端、２０Ｒ  他端、２１  ＬＥＤユニット、２１１  ＬＥＤ、２１２  基板、２２  保持部、２２１  保持正面部、２２１１  面、２２１２  裏側の面、２２２  保持側面部、２３  カバー、２３１  拡散部、２３１１  両端部、２３２  つまみ部、２３２１  端部、２３３  接続部、２４  光源蓋部、２４１  端部、２５  点灯装置、２６  連結具、２６１  連結具固定部、２６２  連結部、２６３  係合開口部、２６３１  縁、３０  非常用ユニット、３１  ユニット外郭部、３１１  レンズ用開口、３１２  スイッチ用開口、３１３  モニタ用開口、３１４  光源受部、３１４１，３１４２  板、３１４３  一点鎖線、３１５  下面、３１５１  光源ユニット２０側の部分、３２  非常用ＬＥＤユニット、３２１  ＬＥＤ、３２２  基板、３２３  レンズ、３３  電源装置、３４  点検スイッチ、３５  モニタランプ、３６  電源部、３６１  ケース、３６１１  折り返し部、３６１２  ケース固定部、３６１３  ケース側部、３６１４  ケース傾斜部、３６１５  ケース爪部、３６２  非常用電源、３６２１  一方側、３６２２  他方側、３６３  開口、３６４  取付具、３７  端面、４０  被取付部、４１  電源ケーブル、４２，４３，４４，４５  配線、Ｘ  長手方向、Ｙ  短手方向。
【図１】
0006664188.tif 000002
【図２】
0006664188.tif 000003
【図３】
0006664188.tif 000004
【図４】
0006664188.tif 000005
【図５】
0006664188.tif 000006
【図６】
0006664188.tif 000007
【図７】
0006664188.tif 000008
【図８】
0006664188.tif 000009
【図９】
0006664188.tif 000010
【図１０】
0006664188.tif 000011
【図１１】
0006664188.tif 000012
【図１２】
0006664188.tif 000013
【図１３】
0006664188.tif 000014
【図１４】
0006664188.tif 000015